(57)【要約】【課題】従来における恒温槽では、扉が不必要に開閉することを防止する扉ロック手段が搭載されていないため、温度制御中や被検査体の測定中に誤って扉を開閉し検査室内の温度を制御できない状態にしてしまうことがあり、特に被検査体における温度特性等を測定している場合では、再度の特性を測定しなくてはならなくなり、検査工程の効率が著しく低下してしまう可能性がある。【解決方法】恒温槽本体にあって、被検査体を収容する検査室と、その検査室内を加熱冷却加湿除湿する温湿度装置及び温湿度装置を所望の値に制御する制御装置と、この検査室を密閉する扉からなる恒温槽において、該恒温槽の槽内温度及び／又は湿度を制御し、且つ該槽内に配置した被検査体の特性を測定する制御測定プログラムと連動して動作する扉ロック手段を具備することを特徴とする恒温槽である。【選択図】図２
2004061399.tif 000002
【特許請求の範囲】
【請求項１】
恒温槽本体にあって、被検査体を収容する検査室と、該検査室内を加熱冷却加湿除湿する温湿度装置及び該温湿度装置を所望の値に制御する制御機構と、該検査室を密閉する扉からなる恒温槽において、該恒温槽の槽内温度及び／又は湿度を制御し、且つ該槽内に配置した被検査体の特性を測定する制御測定プログラムと連動して動作する扉ロック手段を具備することを特徴とする恒温槽。
【発明の詳細な説明】
【０００１】
【発明の属する技術分野】この発明は恒温槽に関し、特に恒温槽内部の温度又は湿度の管理が極めて精密な恒温槽に関する。
【０００２】
【従来技術】通常恒温槽は、室内に被検査体などを収納する検査室とその検査室を密閉する扉、検査室内に任意の温度に制御された空気や窒素雰囲気を流入させ且つ吸い出す気体流路と、その流路中に流路内の気体を任意の温度に制御する加熱装置及び冷却装置と、その加熱装置及び冷却装置を制御する制御機構と検査室内の温度状況を表示する表示手段などで構成されており、検査室及び気体流路は断熱材で覆われている。
【０００３】
恒温槽における検査室内の温度は、検査室内の気体を気体流路に吸い出し、気体流路中の加熱器又は冷却器で制御装置より制御された所定の温度に気体を調整した後、再度気体流路を通して検査室内に気体を流入させ、検査室内の気体を循環させることにより検査室内の温度が制御されている。
【０００４】
更に、温度制御の自動化や被検査体測定等の自動化を行うために、その自動制御手段として恒温槽外部にパソコン等を配置し、恒温槽内の温湿度制御機構及び被検査体と電気的に接続し、自動制御、更に自動測定等を行っている。
【０００５】
【発明が解決しようとする課題】前記従来技術における恒温槽の扉には、扉を恒温槽本体に密着固定又は開放させる扉開閉手段は装備されているが、扉が不必要に開閉することを防止する扉ロック手段が搭載されていないため、温度制御中や被検査体の測定中に誤って扉を開閉し検査室内の温度を制御できない状態にしてしまうことがあり、特に被検査体における温度特性等を測定している場合では、再度の特性を測定しなくてはならなくなり、検査工程の効率が著しく低下してしまう可能性がある。
【０００６】
又、恒温槽を、検査室内の雰囲気を窒素に置換した状態で検査室内に配置した物品を高温で乾燥させる自動制御乾燥機として使用した場合、乾燥中に誤って恒温槽の扉を開けてしまった場合、空気が検査室内に流入し、高温状態にある物品表面を酸化させてしまう問題が生ずる可能性もあった。
【０００７】
【課題を解決するための手段】この発明は前記従来技術の課題を鑑みて成されたものであり、恒温槽本体にあって、被検査体を収容する検査室と、その検査室内を加熱冷却加湿除湿する温湿度装置及び温湿度装置を所望の値に制御する制御機構と、この検査室を密閉する扉からなる恒温槽において、該恒温槽の槽内温度及び／又は湿度を制御し、且つ該槽内に配置した被検査体の特性を測定する制御測定プログラムと連動して動作する扉ロック手段を具備することを特徴とする恒温槽である。
【０００８】
このような構造の恒温槽においては、自動制御測定プログラムが動作中は恒温槽の扉を誤って開くことができなくする作用が奏する。
【０００９】
【発明の実施の形態】以下に、この発明の実施形態について図面に基づいて詳細に説明する。図１は本発明における恒温槽において、一実施状態を示した図である。図２は本発明の構成を示したブロック図である。図３は本発明において、一測定検査における動作フローチャートと扉ロック状態を示した図である。尚、図１及び図２において、説明を明りょうにするため構造体の一部を図示せず、又図１においては、一部寸法を誇張して図示している。
【００１０】
即ち、恒温槽１１には、室内に被検査体などを収納する検査室１２と、その検査室を密閉する扉１３とその扉には検査室を密閉状態に維持する検査室密閉手段１４で構成されている。尚、検査室密閉手段１４には、扉１３を恒温槽１１本体に密着固定又は開放させる扉開閉手段と、扉１３を恒温槽１１本体に密着固定状態でロックし扉１３を開放できなくする扉ロック手段とが具備されている。扉開閉手段には、機械式手段又は電磁式手段等の構成で通常使用されており、扉ロック手段も扉開閉手段の構成に対応した形式手段の構成で形成されている。
【００１１】
又、検査室内に任意の温度に制御された空気や窒素雰囲気などの気体を流入させ且つ吸い出す気体流路１５と、その気体流路１５の気体を任意の温湿度に制御する加熱装置１６、冷却装置１７、加湿装置１８及び除湿装置１９と、その装置類を制御する温湿度制御機構２０と検査室内の温度状況を表示する簡易表示機構２１などで恒温槽１１が構成されている。
【００１２】
更に、恒温槽１１の温湿度制御の自動化や被検査体測定の自動化を行うために、その自動制御機構として恒温槽１１外部にパソコン２２を配置し、恒温槽１１内の温湿度制御機構２０及び被検査体と電気的に接続し、パソコン２２からの出力信号により自動制御測定を行っている。
【００１３】
このような構造の恒温槽を使用した検査体測定を、圧電発振器を被検査体とした場合を簡易例示し、このときの恒温槽の扉ロック動作を図３を参照して説明する。最初に、処理Ｓ１において、パソコン２２における制御測定プログラムの開始とほぼ同時に恒温槽１１の検査室密閉手段１４における扉ロック手段に信号を出し、扉をロックする。
【００１４】
次に処理Ｓ２において、パソコン２２で動作している制御測定プログラム内に設定している測定温度点すべてで圧電発振器の発振周波数の測定が完了しているかどうかを確認する。測定が完了していない場合は、処理Ｓ３に進み、設定測定温度点の内次の順番の設定測定温度となるように、パソコン２２から恒温槽１１の温湿度制御手段に信号を出力する。
【００１５】
次に処理Ｓ４において、検査室内の少なくとも１箇所以上に設置された温度センサにより測定された温度データが、制御測定プログラムに設定された温度範囲内に一定時間入っているかを確認する。温度範囲に入っていない場合は、再度処理Ｓ４の動作が繰り返えされる。一定時間温度範囲の中に入っていた場合は、処理Ｓ５にて圧電発振器の発振周波数測定等を行う。
【００１６】
通常は複数個の圧電発振器について測定を行うので、処理Ｓ６にて全ての圧電発振器の発振周波数データを取得したかどうかを確認する。未取得の場合は処理Ｓ５及び処理Ｓ６を繰り返し、取得が完了した場合は、処理Ｓ２に戻り、次の設定測定温度点での測定を行う。
【００１７】
処理Ｓ２において全ての測定データの取得が確認された場合は、処理Ｓ７に移行し恒温槽１１の検査室密閉手段１４における扉ロック手段に解除信号を出し、扉のロックを解除する。尚、このときは安全のため検査室内の温度が常温付近になってから扉のロックを解除するのが望ましい。
【００１８】
尚、この扉ロック手段は、常時検査室内の温湿度データを監視している温湿度制御機構と連動しており、もし検査室内の温度が異常高温、異常低温になったり、又、パソコンから送られた制御温度データと検査室内の温度データとの差が一定時間変化が無い場合や、停電時などは、安全のためにロックを中止又は解除されるようになっている。更に、扉のロックの解除は、温湿度制御機構からの解除信号による解除だけではなく、恒温槽本体に扉ロック解除ボタンを設置し、非常時にはこのボタンを操作することで、直接扉のロックを解除できるようにもなっている。
【００１９】
【発明の効果】以上説明したように、請求項１に係る本発明の恒温槽によって、恒温槽にて被検査体の測定おける誤った恒温槽扉の開閉のための測定不成功による再測定を回避できる。又、恒温槽を窒素置換した乾燥機として用いた場合に問題であった、扉誤開閉による物品の酸化を防止できる。因って、恒温槽を使用した測定の効率を上げることや、物品の製造における不良品の発生を防止できるという効果を成す。
【図面の簡単な説明】
【図１】図１は、本発明の一実施形態例を示す構成図である。
【図２】図２は、本発明の一実施形態例を示す恒温槽等のブロック図である。
【図３】図３は、本発明における恒温槽を使用した場合の圧電発振器測定フローチャート図である。
【符号の説明】
１１，恒温槽
１２，検査室
１３，扉
１４，検査室密閉手段
１５，気体流路
１６，加熱装置
１７，冷却装置
１８．加湿装置
１９，除湿装置
２０，温湿度制御機構
【図１】
2004061399.tif 000003
【図２】
2004061399.tif 000004
【図３】
2004061399.tif 000005